(57)【要約】【課題】緊急放送を行っていることを聴覚障害者等に知らせることができるスピーカシステムを提供すること。【解決手段】音響信号を入力する音響信号入力手段１０１と、音響信号を整流することによって直流電力を生成する直流電力生成手段１０２と、直流電力によって光信号を出力する光信号出力手段１０３と、音響信号の電圧を変換する変成器１０４と、音響信号を音響に変換し出力するスピーカ１０５とを備える構成とすることにより、緊急放送を行っていることを聴覚障害者等に知らせるようにした。【選択図】          図１
2004220256.tif 000002
【特許請求の範囲】
【請求項１】
音響信号を整流することによって直流電力を生成する直流電力生成手段と、前記直流電力によって光信号を出力する光信号出力手段とを備えたことを特徴とするスピーカシステム。
【請求項２】
前記音響信号は、緊急を要する事態が発生したことを通知する緊急音響信号を含むことを特徴とする請求項１に記載のスピーカシステム。
【請求項３】
前記音響信号を入力する音響信号入力手段を有し、前記音響信号入力手段は、前記緊急音響信号を入力する緊急信号入力部と、前記緊急音響信号とは異なる前記音響信号を入力する通常信号入力部と、前記緊急信号入力部および前記通常信号入力部の共通接地部とを備えたことを特徴とする請求項２に記載のスピーカシステム。
【請求項４】
前記音響信号のレベルを検出する信号レベル検出手段を備えたことを特徴とする請求項１から請求項３までの何れかに記載のスピーカシステム。
【請求項５】
前記光信号出力手段は、前記音響信号の前記レベルに応じて異なる色彩の光信号を出力するようにしたことを特徴とする請求項４に記載のスピーカシステム。
【請求項６】
前記光信号出力手段は、前記緊急音響信号が入力されたとき、前記音響信号の前記レベルに応じた前記光信号の出力とは異なる光信号を出力するようにしたことを特徴とする請求項４または請求項５に記載のスピーカシステム。
【請求項７】
前記光信号出力手段は、光信号を発する発光部と、光信号を拡散する拡散部とを備え、前記光信号出力手段は、前記発光部と前記拡散部とに分離されるようにしたことを特徴とする請求項１から請求項６までの何れかに記載のスピーカシステム。
【発明の詳細な説明】
【０００１】
【発明の属する技術分野】
本発明は、スピーカシステムに関し、さらに詳しくは、例えば、災害が発生したときに緊急放送を行うスピーカシステムに関する。
【０００２】
【従来の技術】
従来、この種のスピーカシステムは、通常放送用のリード線と、緊急放送用のリード線と、共通の接地用リード線とで構成される３線式に対応した入力端子を備え、ＢＧＭおよび各種の一般アナウンス等の通常放送中でも、緊急を要する事態が発生したときは、緊急放送が行えるようになっている（例えば、特許文献１参照）。
【０００３】
【特許文献１】
特開２０００−２４４９９２号公報（第３−４頁、第５図）
【０００４】
【発明が解決しようとする課題】
しかしながら、このような従来のスピーカシステムでは、緊急放送が音声によって行われるので、緊急放送を行っていることを聴覚障害者および大きな騒音の環境にいる健聴者（以下、単に聴覚障害者等という。）に知らせることが困難であるという問題があった。
【０００５】
また、上記問題を解決するため、緊急放送を行っていることを文字、ランプ等によって表示するよう既設の従来のスピーカシステムに表示装置を追加することもできるが、表示装置が追加されたスピーカシステムにおいては、表示装置の電源の設置および配線の工事、緊急放送設備および火災報知機等からの配線の工事を要するので、スピーカの数が増加した場合、例えば、数百から数千のスピーカが建築物に設置された場合には、膨大な工事費用が発生するという問題があった。
【０００６】
本発明は、このような問題を解決するためになされたものであり、緊急放送を行っていることを聴覚障害者等に知らせることができ、しかも、既設の従来のスピーカシステムの工事を簡単に低コストで行うことができるスピーカシステムを提供するものである。
【０００７】
【課題を解決するための手段】
本発明のスピーカシステムは、音響信号を整流することによって直流電力を生成する直流電力生成手段と、前記直流電力によって光信号を出力する光信号出力手段とを備えたことを特徴とする構成を有している。
【０００８】
この構成により、光信号出力手段は、直流電力生成手段により生成された直流電力によって光信号を出力するので、例えば、緊急放送が行われたとき、緊急放送の音響信号によって光信号が出力され、この光信号によって緊急放送が行われていることを聴覚障害者等に視覚的に知らせることができる。
【０００９】
また、本発明のスピーカシステムは、前記音響信号は、緊急を要する事態が発生したことを通知する緊急音響信号を含むことを特徴とする構成を有している。
【００１０】
この構成により、直流電力生成手段は、緊急音響信号によって直流電力を生成し、光信号出力手段は、直流電力生成手段により生成された直流電力によって光信号を出力するので、緊急放送が行われていることを聴覚障害者等に視覚的に知らせることができる。
【００１１】
また、本発明のスピーカシステムは、前記音響信号を入力する音響信号入力手段を有し、前記音響信号入力手段は、前記緊急音響信号を入力する緊急信号入力部と、前記緊急音響信号とは異なる前記音響信号を入力する通常信号入力部と、前記緊急信号入力部および前記通常信号入力部の共通接地部とを備えたことを特徴とする構成を有している。
【００１２】
この構成により、直流電力生成手段は、緊急信号入力部に入力された音響信号に基づいて直流電力を生成することができるので、光信号出力手段によって緊急放送が行われていることを聴覚障害者等に視覚的に知らせることができる。
【００１３】
また、本発明のスピーカシステムは、前記音響信号のレベルを検出する信号レベル検出手段を備えたことを特徴とする構成を有している。
【００１４】
この構成により、信号レベル検出手段によって検出された通常放送の音響信号のレベルを聴覚障害者等に視覚的に知らせることができる。
【００１５】
また、本発明のスピーカシステムは、前記光信号出力手段は、前記音響信号の前記レベルに応じて異なる色彩の光信号を出力するようにしたことを特徴とする構成を有している。
【００１６】
この構成により、光信号出力手段から出力される色彩の異なる光信号によって、通常放送の音響信号のレベルを聴覚障害者等に視覚的に知らせることができる。
【００１７】
また、本発明のスピーカシステムは、前記光信号出力手段は、前記緊急音響信号が入力されたとき、前記音響信号の前記レベルに応じた前記光信号の出力とは異なる光信号を出力するようにしたことを特徴とする構成を有している。
【００１８】
この構成により、通常放送および緊急放送の何れが行われているかを聴覚障害者等に視覚的に知らせることができる。
【００１９】
また、本発明のスピーカシステムは、前記光信号出力手段は、光信号を発する発光部と、光信号を拡散する拡散部とを備え、前記光信号出力手段は、前記発光部と前記拡散部とに分離されるようにしたことを特徴とする構成を有している。
【００２０】
この構成により、光信号を発する発光部と光信号を拡散する拡散部とを分離する構造としたので、光信号によって緊急放送を行っていることを聴覚障害者等に視覚的に知らせることができ、しかも、既設の従来のスピーカシステムの工事を簡単に低コストで行うことができ、さらに、発光部の構成の変更、システムのメンテナンス等も容易に行うことができる。
【００２１】
【発明の実施の形態】
以下、本発明の実施の形態について、図面を参照して説明する。
【００２２】
（第１の実施の形態）
まず、本発明の第１の実施の形態のスピーカシステムの構成について説明する。
【００２３】
図１に示すように、本実施の形態のスピーカシステム１００は、音響信号を入力する音響信号入力手段１０１と、音響信号を整流することによって直流電力を生成する直流電力生成手段１０２と、直流電力によって光信号を出力する光信号出力手段１０３と、音響信号の電圧を変換する変成器１０４と、音響信号を音響に変換し出力するスピーカ１０５とを備えている。
【００２４】
音響信号入力手段１０１は、３本の信号線によって図示しない放送システムに接続され、放送システムから出力される通常時の音響信号を入力する通常信号入力端子（Ｎ）１０１ａと、放送システムから出力される緊急時の音響信号を入力する緊急信号入力端子（Ｒ）１０１ｂと、通常信号入力端子（Ｎ）１０１ａおよび緊急信号入力端子（Ｒ）１０１ｂの共通接地端子（Ｃ）１０１ｃとを備えている。
【００２５】
ここで、緊急時の音響信号とは、例えば、ある建物に関わる火災、洪水、土砂崩れ等の緊急を要する事態が発生したとき、この緊急時の情報を音声、シグナル音（サイレン等）によって建物の内外にいる者に通知する電気信号をいう。また、通常時の音響信号とは、前述の緊急時以外のときの電気信号、例えば、ＢＧＭおよび各種の一般アナウンス等の電気信号をいう。また、通常時の音響信号および緊急時の音響信号のレベルは、例えば、ピーク値の実効値が１００Ｖになるように設定してある。
【００２６】
なお、放送システムは、緊急時に使用される設備、例えば、火災報知器、煙検知器、ガス漏れ検知器、放射線検出器等を含み、緊急を要する事態が発生したとき、放送システムから緊急時の音響信号が出力されるようになっている。また、放送システムによって通常放送が行われるときは、緊急信号入力端子（Ｒ）１０１ｂと共通接地端子（Ｃ）１０１ｃとが同電位になるようになっている。一方、放送システムによって緊急放送が行われるときは、通常信号入力端子（Ｎ）１０１ａと緊急信号入力端子（Ｒ）１０１ｂとが同電位になるようになっている。
【００２７】
直流電力生成手段１０２は、緊急信号入力端子（Ｒ）１０１ｂに入力された音響信号を整流する整流部１０２ａと、光信号出力手段１０３を駆動する駆動電源部１０２ｂとを備えている。駆動電源部１０２ｂは、緊急信号入力端子（Ｒ）１０１ｂに音響信号が入力されたときは光信号出力手段１０３を駆動し、緊急信号入力端子（Ｒ）１０１ｂに音響信号が入力されていないときは光信号出力手段１０３を停止させるようになっている。
【００２８】
光信号出力手段１０３は、抵抗１０２と、発光ダイオード１０８とを備えている。この発光ダイオード１０８に代えて、レーザダイオード、電球、放電管等を発光させるよう構成してもよい。なお、スピーカ１０５の前段には変成器１０４を設けることで入力インピーダンスを高く設定し、複数のスピーカ１０５が並列接続できるようになっている。
【００２９】
次に、本実施の形態のスピーカシステム１００の動作について説明する。
【００３０】
最初に、本実施の形態のスピーカシステム１００によって、通常放送を行うときの動作について説明する。まず、放送システムによって、通常時の音響信号が通常信号入力端子（Ｎ）１０１ａおよび共通接地端子（Ｃ）１０１ｃに入力される。次いで、入力された音響信号は、変成器１０４によって電圧変換された後、スピーカ１０５によって、音声または音楽等が出力され通常放送が行われる。
【００３１】
次に、本実施の形態のスピーカシステム１００によって、緊急放送を行うときの動作について説明する。まず、放送システムによって、緊急時の音響信号が、通常信号入力端子（Ｎ）１０１ａおよび共通接地端子（Ｃ）１０１ｃと緊急信号入力端子（Ｒ）１０１ｂおよび共通接地端子（Ｃ）１０１ｃとに入力される。次いで、通常信号入力端子（Ｎ）１０１ａおよび共通接地端子（Ｃ）１０１ｃに入力された緊急時の音響信号は、変成器１０４によって電圧変換された後、スピーカ１０５によって、音声またはシグナル音（サイレン等）が出力され緊急放送が行われる。
【００３２】
一方、直流電力生成手段１０２によって、緊急信号入力端子（Ｒ）１０１ｂおよび共通接地端子（Ｃ）１０１ｃに入力された緊急時の音響信号に基づいて光信号出力手段１０３を駆動する直流電力が生成される。次いで、光信号出力手段１０３から光信号が出力され、この光信号によって、緊急放送が行われていることが聴覚障害者等に通知される。
【００３３】
ここで、直流電力生成手段１０２の動作を説明する。まず、緊急時の音響信号は、整流部１０２ａに入力され、ダイオード１０１から１０４までによって整流され、コンデンサ１０１によって平滑される。次いで、駆動電源部１０２ｂに入力される。この駆動電源部１０２ｂは、抵抗１０１および抵抗１０２と、トランジスタ１０１と、ダイオード１０５およびダイオード１０６とで構成された定電流回路を含み、この定電流回路によって安定化された電流がツェナーダイオード１０７に供給され、整流部１０２ａによって整流された緊急時の音響信号が入力されたとき、ツェナーダイオード１０７のツェナー電圧に基づいて発光ダイオード１０８を発光させる定電圧が生成される。そして、生成された電圧によって発光ダイオード１０８が発光する。
【００３４】
すなわち、直流電力生成手段１０２および光信号出力手段１０３を備える構成によって、緊急時の音響信号が入力されたとき、この緊急時の音響信号に基づいて発光ダイオード１０８を駆動するので、発光ダイオード１０８を発光させる新たな専用の電源設備および配線を必要とせず、緊急放送を行っていることを視覚的に表すことができる。
【００３５】
なお、前述の直流電力生成手段１０２および光信号出力手段１０３の回路構成は、一例を示すものであり、図１に示された回路に限定されるものではない。また、光信号出力手段１０３から出力される光信号が点滅するように構成してもよい。また、緊急時の音響信号に代えて、予め定められた音響信号によって光信号出力手段１０３から光信号が出力されるように構成してもよい。
【００３６】
次に、本実施の形態の他の態様について、図２を参照して説明する。
【００３７】
図２において、スピーカシステム２００は、光信号出力手段２０１と、スピーカ２０２とを有し、光信号出力手段２０１は、発光素子２０１ａと、火災を通知するプレート２０１ｂとを備えている。なお、発光素子２０１ａは、例えば、発光ダイオード、レーザダイオード、電球、放電管等で構成される。
【００３８】
放送システムによって火災を知らせる緊急放送が行われた場合、スピーカ２０２を介して火災放送を聞くことができる。一方、放送システムから出力された火災を知らせる音響信号が前述の直流電力生成手段１０２に入力され、直流電力生成手段１０２によって発光素子２０１ａの電源が供給され、発光素子２０１ａが駆動され発光するので、プレート２０１ｂの発光によって火災が発生したことを知ることができる。なお、火災以外の文字情報を表示する場合は、前述のプレート２０１ｂの表示を変更すればよい。また、緊急信号入力端子（Ｒ）１０１ｂを複数設け、放送システムの放送系統を利用して音響信号毎に光信号出力手段２０１を備える構成にしてもよい。
【００３９】
なお、本実施の形態のスピーカシステムと放送システムとの接続は、前述した３本の信号線に限定されない。例えば、音響信号入力手段１０１を信号入力端子および接地端子の２個の端子で構成し、放送システムから２本の信号線を介して緊急時の音響信号および通常時の音響信号を個別に入力し、緊急放送が行われていることを表示するようにしてもよい。また、例えば、１個の通常信号入力端子と、３個の緊急信号入力端子と、通常信号入力部および緊急信号入力部の共通接地端子とによって音響信号入力手段１０１を構成し、放送システムから５本の信号線を介して、通常放送、火災の緊急放送、洪水の緊急放送、土砂崩れの緊急放送等が行われていることを表示するようにしてもよい。
【００４０】
以上のように、本実施の形態のスピーカシステム１００によれば、直流電力生成手段１０２は、緊急時の音響信号が入力されたとき、緊急時の音響信号に基づいて直流電力を生成し、この直流電力によって光信号出力手段１０３が光信号を出力する構成としたので、スピーカから出力される音響によって緊急放送を行うとともに、光信号によって緊急放送を行っていることを聴覚障害者等に知らせることができる。
【００４１】
（第２の実施の形態）
まず、本発明の第２の実施の形態のスピーカシステムの構成について説明する。
【００４２】
図３に示すように、本実施の形態のスピーカシステム３００の構成は、第１の実施の形態のスピーカシステム１００に減衰器３０６および信号レベル表示手段３０７を備えた構成と同様であるので、その他の構成については、詳細な説明を省略する。
【００４３】
減衰器３０６は、複数の抵抗を含む抵抗分割回路３０６ａと、音量選択スイッチ３０６ｂとを備えている。音量選択スイッチ３０６ｂは、抵抗分割回路３０６ａを介して通常信号入力端子（Ｎ）３０１ａに接続された第１のスイッチ３０６ｃと、抵抗分割回路３０６ａを介して緊急信号入力端子（Ｒ）３０１ｂに接続された第２のスイッチ３０６ｄとを備えている。第１のスイッチ３０６ｃと第２のスイッチ３０６ｄとは連動して動作するようになっている。減衰器３０６は、抵抗分割回路３０６ａによって分割された音響信号のレベルを音量選択スイッチ３０６ｂによって選択することにより、スピーカ３０５から出力される音響のレベルを選択できるようになっている。なお、抵抗分割回路３０６ａおよび音量選択スイッチ３０６ｂに代えて、可変抵抗器を備え、スピーカ３０５から出力される音響のレベルを変化させるように構成してもよい。
【００４４】
信号レベル表示手段３０７は、信号レベル検出回路３０７ａと、信号レベル比較回路３０７ｂと、駆動信号生成回路３０７ｃと、発光回路３０７ｄと、電源回路３０７ｅとを備え、変成器３０４の１次側の音響信号を整流した後、整流された音響信号のレベルを発光回路３０７ｄによって段階的に表示できるようになっている。
【００４５】
信号レベル検出回路３０７ａは、ダイオード３０１からダイオード３０４までを備え、音響信号を整流するようになっている。また、信号レベル比較回路３０７ｂは、抵抗３０６から抵抗３１１までを備え、抵抗３０７から抵抗３１１までの抵抗によって５段階の基準レベルを生成し、この基準レベルと整流された音響信号のレベルＶ０とを比較するようになっている。なお、信号レベル検出回路３０７ａは、信号レベル検出手段を構成している。
【００４６】
駆動信号生成回路３０７ｃは、インバータ３０１からインバータ３０５までと、バッファを構成するトランジスタ３０１からトランジスタ３０５までとを備え、抵抗３１２から抵抗３１６までの抵抗を介して信号レベル比較回路３０７ｂと接続され、信号レベル比較回路３０７ｂによって比較される５段階のレベルに基づいて発光ダイオード３０５から発光ダイオード３０９までを駆動する信号を生成するようになっている。
【００４７】
発光回路３０７ｄは、発光ダイオード３０５から発光ダイオード３０９までを備え、音響信号のレベルに応じた発光ダイオードが発光するようになっている。
【００４８】
電源回路３０７ｅは、抵抗３１７および抵抗３１８と、ダイオード３１０およびダイオード３１１と、トランジスタ３０６と、ツェナーダイオード３１２と、コンデンサ３０１とを備え、信号レベル比較回路３０７ｂ、駆動信号生成回路３０７ｃ、および発光回路３０７ｄに電力を供給するようになっている。
【００４９】
なお、減衰器３０６および信号レベル表示手段３０７を筐体に収め、例えば、壁に設置して、スピーカ３０５から出力される音響のレベルを調整するように構成してもよい。
【００５０】
次に、本実施の形態のスピーカシステム３００の動作について説明する。
【００５１】
最初に、本実施の形態のスピーカシステム３００によって、通常放送を行うときの動作について説明する。まず、放送システムによって、通常時の音響信号が通常信号入力端子（Ｎ）３０１ａおよび共通接地端子（Ｃ）３０１ｃに入力される。この通常放送が行われるときは、音響信号が通常信号入力端子（Ｎ）３０１ａに入力され、緊急時の音響信号を入力する緊急信号入力端子（Ｒ）３０１ｂおよび共通接地端子（Ｃ）３０１ｃは同電位に設定されるので、抵抗分割回路３０６ａによって分割された電圧が変成器３０４に入力される。
【００５２】
引き続き、信号レベル表示手段３０７によって、変成器３０４の１次側の音響信号のレベルが発光回路３０７ｄによって表示される。すなわち、減衰器３０６の音量選択スイッチ３０６ｂによって選択された抵抗値に応じてスピーカ３０５から出力される音響のレベルが表示されることとなる。例えば、音量選択スイッチ３０６ｂによって出力オフが選択されたときは、音響信号の有無に関わらず発光回路３０７ｄは発光せず、音量選択スイッチ３０６ｂによって音量１乃至音量３が選択されたときは、入力された音響信号のレベル変化に応じて発光ダイオード３０５から発光ダイオード３０９までが発光し、スピーカ３０５から出力される音響のレベルが表示される。
【００５３】
そして、変成器３０４によって電圧変換された後、スピーカ３０５によって、音声または音楽等が出力され通常放送が行われる。
【００５４】
次に、本実施の形態のスピーカシステム３００によって、緊急放送を行うときの動作について説明する。まず、放送システムによって、緊急時の音響信号が通常信号入力端子（Ｎ）３０１ａおよび共通接地端子（Ｃ）３０１ｃと緊急信号入力端子（Ｒ）３０１ｂおよび共通接地端子（Ｃ）３０１ｃとに入力される。この緊急放送が行われるときは、通常信号入力端子（Ｎ）３０１ａおよび緊急信号入力端子（Ｒ）３０１ｂは同電位に設定されるので、第１のスイッチ３０６ｃおよび第２のスイッチ３０６ｄによって選択された抵抗分割回路３０６ａにおける第１のスイッチ３０６ｃを通る回線と第２のスイッチ３０６ｄを通る回線との合成抵抗が回線インピーダンスとして作用し、緊急時の音響信号が変成器３０４に入力される。
【００５５】
引き続き、信号レベル表示手段３０７によって、変成器３０４の１次側の音響信号のレベルが発光回路３０７ｄによって表示される。そして、変成器３０４によって電圧変換された後、スピーカ３０５によって、音声またはシグナル音（サイレン等）が出力され緊急放送が行われる。なお、音量選択スイッチ３０６ｂによって、出力オフが選択されていても、緊急放送が行われるときは、通常信号入力端子（Ｎ）３０１ａおよび緊急信号入力端子（Ｒ）３０１ｂには同電位が入力されるので、スピーカ３０５によって音響が出力される。
【００５６】
一方、直流電力生成手段３０２によって、緊急信号入力端子（Ｒ）３０１ｂおよび共通接地端子（Ｃ）３０１ｃに入力された緊急時の音響信号に基づいて光信号出力手段３０３を駆動する直流電力が生成され、光信号出力手段３０３によって光信号が出力される。
【００５７】
以上のように、本実施の形態のスピーカシステム３００によれば、信号レベル表示手段３０７は、減衰器３０６によって設定された音響信号のレベルを表示し、直流電力生成手段３０２は、緊急時の音響信号が入力されたとき、緊急時の音響信号に基づいて直流電力を生成し、この直流電力によって光信号出力手段３０３が光信号を出力する構成としたので、通常放送のときは、スピーカから出力される音響のレベルを光信号によって容易に調整することができ、緊急放送のときは、スピーカから出力される音響によって緊急放送を行うとともに、光信号によって緊急放送を行っていることを聴覚障害者等に知らせることができる。
【００５８】
（第３の実施の形態）
まず、本発明の第３の実施の形態のスピーカシステムの構成について説明する。
【００５９】
図４に示すように、音響信号を入力する音響信号入力手段４０１と、音響信号を整流することによって直流電力を生成する直流電力生成手段４０２と、直流電力によって光信号を出力する光信号出力手段４０３と、音響信号の電圧を変換する変成器４０４と、音響信号を音響に変換し出力するスピーカ４０５と、音響信号のレベルを減衰させる減衰器４０６と、音響信号のレベルを検出する信号レベル検出手段４０７と、入力を選択する信号選択手段４０８とを備えている。なお、第２の実施の形態のスピーカシステム３００の構成の説明と重複する説明は省略する。
【００６０】
信号レベル検出手段４０７は、例えば、ダイオードを含む信号レベル検出回路と、抵抗を含む信号レベル比較回路と、インバータおよびトランジスタを含む駆動信号生成回路と、ツェナーダイオードを含む電源回路を備え、変成器４０４の１次側の音響信号を整流し、整流された音響信号のレベルに応じた信号を出力するようになっている。
【００６１】
信号選択手段４０８は、例えば、ロジック回路で構成され、直流電力生成手段４０２から出力される信号の有無に基づいて光信号出力手段４０３に出力する信号を選択するようになっている。具体的には、直流電力生成手段４０２から信号が出力されていないとき、すなわち、通常放送が行われているときは、信号レベル検出手段４０７からの信号を選択し、選択された信号を光信号出力手段４０３に出力するようになっている。一方、直流電力生成手段４０２から信号が出力されているとき、すなわち、緊急放送が行われているときは、直流電力生成手段４０２からの信号を選択し、選択された信号を光信号出力手段４０３に出力するようになっている。
【００６２】
光信号出力手段４０３は、色彩の異なる光信号、例えば、緑色、橙色および赤色の光信号を出力する発光素子を備え、信号選択手段４０８によって選択された信号に基づいて異なった色彩の光信号を出力するようになっている。この発光素子は、例えば、発光ダイオード、レーザダイオード、電球、放電管等で構成される。なお、発光素子は、複数の入力部を備えた発光素子によって色彩の異なる光信号を出力する構成としてもよいし、異なる色彩を発する発光素子を複数組み合わせる構成としてもよい。
【００６３】
次に、本実施の形態のスピーカシステム４００の動作について説明する。
【００６４】
最初に、本実施の形態のスピーカシステム４００によって、通常放送を行うときの動作について説明する。まず、放送システムによって、通常時の音響信号が通常信号入力端子（Ｎ）４０１ａおよび共通接地端子（Ｃ）４０１ｃに入力される。次いで、減衰器４０６によって、スピーカ４０５から出力される音響のレベルが設定される。そして、変成器４０４によって電圧変換された後、スピーカ４０５によって、音声または音楽等が出力され通常放送が行われる。
【００６５】
一方、減衰器４０６によってレベルが設定された音響信号は、信号レベル検出手段４０７に入力され、設定されたレベルに応じた信号が信号選択手段４０８に入力される。このとき、直流電力生成手段４０２からの信号の出力はないので、信号選択手段４０８によって、信号レベル検出手段４０７から出力された信号が選択され、この信号が光信号出力手段４０３に出力される。
【００６６】
そして、光信号出力手段４０３によって、信号レベル検出手段４０７で検出されたレベルに応じた光信号が出力される。例えば、信号レベル検出手段４０７で検出されたレベルが予め定められたレベル以下のときは、光信号出力手段４０３は緑色の光信号を出力し、上記検出されたレベルが予め定められたレベル以上のときは、光信号出力手段４０３は橙色の光信号を出力する。
【００６７】
次に、本実施の形態のスピーカシステム４００によって、緊急放送を行うときの動作について説明する。まず、放送システムによって、緊急時の音響信号が通常信号入力端子（Ｎ）４０１ａおよび共通接地端子（Ｃ）４０１ｃと緊急信号入力端子（Ｒ）４０１ｂおよび共通接地端子（Ｃ）４０１ｃとに入力される。緊急信号入力端子（Ｒ）４０１ｂより入力された信号は、通常放送と異なり、ほとんど減衰されずに減衰器４０６を通過する。そして、変成器４０４によって電圧変換された後、スピーカ４０５によって、音声またはシグナル音（サイレン等）がほとんど減衰されずに出力され緊急放送が行われる。
【００６８】
一方、減衰器４０６によってレベルが設定された音響信号は、直流電力生成手段４０２に入力され、緊急信号入力端子（Ｒ）４０１ｂおよび共通接地端子（Ｃ）４０１ｃに入力された緊急時の音響信号に基づいて光信号出力手段４０３を駆動する信号が生成され、信号選択手段４０８に入力される。そして、信号選択手段４０８によって、直流電力生成手段４０２が生成した信号が選択され、光信号出力手段４０３によって、直流電力生成手段４０２で生成された信号に基づいて、例えば、赤色の光信号が出力される。
【００６９】
次に、本実施の形態の他の態様について、図５を参照して説明する。
【００７０】
まず、本実施の形態のスピーカシステム５００の構成を説明する。
【００７１】
図５（ａ）において、スピーカシステム５００は、２色の光を発する光信号出力手段５０９と、光信号出力手段５０９の駆動または停止を制御する制御ボックス５１０と、光信号を透過させる光パネル５１１と、光パネル５１１と一体化されスピーカから出力された音響を通過させるスピーカパネル５１２と、スピーカ５０５とを備えている。
【００７２】
なお、制御ボックス５１０は、図示しない直流電力生成手段５０２と、変成器５０４と、信号レベル検出手段５０７と、信号選択手段５０８を備えており、図示しない減衰器５０６からの音響信号が入力されるようになっている。
【００７３】
光信号出力手段５０９は、緑色の複数の発光素子によって構成された第１の発光部５０９ａと、赤色の複数の発光素子によって構成された第２の発光部５０９ｂと、光信号を光拡散部５０９ｄに導く導光管５０９ｃと、光信号を拡散する光拡散部５０９ｄとを備えている。すなわち、光信号出力手段５０９は、光信号を発する発光部と光信号を拡散する拡散部とに分離されている。
【００７４】
第１の発光部５０９ａおよび第２の発光部５０９ｂは、それぞれ、入力された信号のレベルに応じた輝度の光信号を出力するようになっている。すなわち、第１の発光部５０９ａおよび第２の発光部５０９ｂは、それぞれ、入力された信号のレベルが大きいときは明るく光り、入力された信号のレベルが小さいときは暗く光るようになっている。また、導光管５０９ｃは、第１の発光部５０９ａからの光信号を光拡散部５０９ｄに導く第１の導光管５０９ｃ１と、第２の発光部５０９ｂからの光信号を光拡散部５０９ｄに導く第２の導光管５０９ｃ２とを備えている。
【００７５】
また、光拡散部５０９ｄは、第１の光拡散部５０９ｄ１および第２の光拡散部５０９ｄ２によって円形状に構成され、この光拡散部５０９ｄに光信号が照射されたとき、図５（ｂ）の平面図に示すように、スピーカパネル５１２の周囲の光パネル５１１から光信号が円形状に出力されるようになっている。なお、光拡散部５０９ｄの形状は円形状に限定されず、例えば、光パネル５１１の一部から光信号が出力されるような形状にしてもよい。
【００７６】
スピーカ５０５は、図示しない取り付け具によって天井板５１３に取り付けられ、光パネル５１１は、天井板５１３の取り付け穴５１３ａに挿入されスピーカ５０５と固定されるようになっている。
【００７７】
次に、本実施の形態のスピーカシステム５００の動作を説明する。
【００７８】
最初に、本実施の形態のスピーカシステム５００によって、通常放送を行うときの動作について説明する。
【００７９】
まず、放送システムから出力された通常時の音響信号は、減衰器５０６によってレベルが設定され、制御ボックス５１０に入力される。この通常時の音響信号は、スピーカ５０５によって、音声または音楽等が出力され通常放送が行われる。
【００８０】
一方、減衰器５０６によってレベルが設定された音響信号は、信号レベル検出手段５０７に入力され、設定されたレベルに応じた信号が信号選択手段５０８に入力される。このとき、直流電力生成手段５０２からの信号の出力は無いので、信号選択手段５０８によって、信号レベル検出手段５０７から出力された信号が選択され、この信号が光信号出力手段５０９の第１の発光部５０９ａに出力される。
【００８１】
引き続き、第１の発光部５０９ａによって、信号レベル検出手段５０７で検出されたレベルに応じた輝度の緑色の光信号が出力され、この光信号は、第１の導光管５０９ｃ１によって光拡散部５０９ｄに導かれる。そして、第１の光拡散部５０９ｄ１および第２の光拡散部５０９ｄ２によって、緑色の光信号が拡散され、通常放送を行っていることを視覚的に表すことができる。
【００８２】
次に、本実施の形態のスピーカシステム５００によって、緊急放送を行うときの動作について説明する。
【００８３】
まず、放送システムから出力された緊急時の音響信号は、減衰器５０６を介して制御ボックス５１０に入力される。この緊急時の音響信号は、スピーカ５０５によって、音声またはシグナル音（サイレン等）が出力され緊急放送が行われる。
【００８４】
一方、減衰器５０６から出力された緊急時の音響信号は、直流電力生成手段５０２に入力され、この緊急時の音響信号に基づいて光信号出力手段５０９の第２の発光部５０９ｂを駆動する信号が生成され、信号選択手段５０８に入力される。次いで、信号選択手段５０８によって、直流電力生成手段５０２から出力された信号が選択され、この信号が光信号出力手段５０９の第２の発光部５０９ｂに出力される。
【００８５】
引き続き、第２の発光部５０９ｂによって、最大の輝度の赤色の光信号が出力され、この光信号は、第２の導光管５０９ｃ２によって光拡散部５０９ｄに導かれる。次いで、第１の光拡散部５０９ｄ１および第２の光拡散部５０９ｄ２によって、最大の輝度の赤色の光信号が拡散される。そして、スピーカパネル５１２の周囲の光パネル５１１が赤色に光ることによって、緊急放送を行っていることを視覚的に表すことができる。
【００８６】
なお、緊急時の音響信号に代えて、予め定められた音響信号、例えば、イベント会場およびコンサート会場等における楽器およびボーカル等の音響信号を入力し、これらの音響信号のレベルに応じた光信号を出力するように構成し、スピーカから出力される音響のレベル確認、音響信号を利用したイルミネーションの敷設等が行えるようにしてもよい。
【００８７】
以上のように、本実施の形態のスピーカシステム４００によれば、信号レベル検出手段４０７は、減衰器４０６によって設定された音響信号のレベルを表示し、直流電力生成手段４０２は、緊急時の音響信号が入力されたとき、この緊急時の音響信号に基づいて直流電力を生成し、この直流電力によって光信号出力手段４０３が光信号を出力する構成としたので、通常放送のときは、スピーカから出力される音響のレベルを調整することができ、緊急放送のときは、スピーカから出力される音響によって緊急放送を行うとともに、光信号によって緊急放送を行っていることを聴覚障害者等に知らせることができる。
【００８８】
さらに、本実施の形態のスピーカシステム５００によれば、光信号を発する発光部と光信号を拡散する拡散部とを分離する構成としたので、光信号によって緊急放送を行っていることを聴覚障害者等に知らせることができ、しかも、既設の従来のスピーカシステムの工事を簡単に低コストで行うことができ、さらに、発光部の構成の変更、システムのメンテナンス等も容易に行うことができる。
【００８９】
【発明の効果】
以上説明したように、本発明によれば、緊急放送が行われたとき、緊急放送の音響信号によって光信号が出力され、この光信号によって緊急放送が行われていることを聴覚障害者等に視覚的に知らせることができるスピーカシステムを低コストで提供することができる。
【図面の簡単な説明】
【図１】本発明の第１の実施の形態のスピーカシステムのブロック図
【図２】本発明の第１の実施の形態の他の態様のスピーカシステムの断面図
【図３】本発明の第２の実施の形態のスピーカシステムのブロック図
【図４】本発明の第３の実施の形態のスピーカシステムのブロック図
【図５】（ａ）本発明の第３の実施の形態の他の態様のスピーカシステムの側面図
（ｂ）本発明の第３の実施の形態の他の態様のスピーカシステムの平面図
【符号の説明】
１００、２００、３００、４００、５００  スピーカシステム
１０１  音響信号入力手段
１０１ａ、３０１ａ、４０１ａ  通常信号入力端子（Ｎ）
１０１ｂ、３０１ｂ、４０１ｂ  緊急信号入力端子（Ｒ）
１０１ｃ、３０１ｃ、４０１ｃ  共通接地端子（Ｃ）
１０２、３０２、４０２  直流電力生成手段
１０２ａ  整流部
１０２ｂ  駆動電源部
１０３、２０１、３０３、４０３  光信号出力手段
１０４、３０４、４０４  変成器
１０５、２０２、３０５、４０５、５０５  スピーカ
２０１ａ  発光素子
２０１ｂ  プレート
３０６、４０６  減衰器
３０６ａ  抵抗分割回路
３０６ｂ  音量選択スイッチ
３０６ｃ  第１のスイッチ
３０６ｄ  第２のスイッチ
３０７  信号レベル表示手段
３０７ａ  信号レベル検出回路
３０７ｂ  信号レベル比較回路
３０７ｃ  駆動信号生成回路
３０７ｄ  発光回路
３０７ｅ  電源回路
４０１  音響信号入力手段
４０７  信号レベル検出手段
４０８  信号選択手段
５０９  光信号出力手段
５０９ａ  第１の発光部
５０９ｂ  第２の発光部
５０９ｃ  導光管
５０９ｃ１  第１の導光管
５０９ｃ２  第２の導光管
５０９ｄ  光拡散部
５０９ｄ１  第１の光拡散部
５０９ｄ２  第２の光拡散部
５１０  制御ボックス
５１１  光パネル
５１２  スピーカパネル
５１３  天井板
５１３ａ  取り付け穴
【図１】
2004220256.tif 000003
【図２】
2004220256.tif 000004
【図３】
2004220256.tif 000005
【図４】
2004220256.tif 000006
【図５】
2004220256.tif 000007